(57)【要約】【課題】ロール状の貼付剤Ｔを密閉して収納する。【解決手段】貼付剤Ｔを収納する本体１０と、本体１０に被せるキャップ２０とを相対回転可能に組み合わせ、本体１０に切断刃１４を一体成形する。【選択図】図１
2012250812.tif 000002
【特許請求の範囲】
【請求項１】
ロール状の貼付剤を収納する本体と、該本体に被せるキャップとを相対回転可能に組み合わせてなり、前記本体は、内部の貼付剤の先端部を外周上に引き出すスリットを有するとともに、外周上の貼付剤を切断する切断刃を一体成形し、前記キャップは、正逆に回転させて軸方向に昇降させ、前記本体の下端の密閉位置、上端の開放位置に位置決め可能であることを特徴とする貼付剤用の収納容器。
【請求項２】
前記キャップは、前記本体の外周に形成するガイドスロープに係合する係合突部を内面に形成し、前記ガイドスロープ、係合突部を介し、回転操作に伴って密閉位置、開放位置の間に昇降することを特徴とする請求項１記載の貼付剤用の収納容器。
【請求項３】
前記ガイドスロープは、密閉位置側の緩傾斜の昇降区間、開放位置側の急傾斜の昇降区間を含むことを特徴とする請求項２記載の貼付剤用の収納容器。
【請求項４】
前記係合突部は、先端面を鋸歯状の係合面に形成することを特徴とする請求項２または請求項３記載の貼付剤用の収納容器。
【請求項５】
前記切断刃は、薄肉のヒンジ部を介し、前記本体の上端に下向きに折畳み可能に連結することを特徴とする請求項１ないし請求項４のいずれか記載の貼付剤用の収納容器。
【発明の詳細な説明】
【技術分野】
【０００１】
この発明は、ロール状の貼付剤（テープ状の絆創膏、テープ剤、パップ剤、経皮吸収型製剤などをロール状に巻いた製剤をいう、以下同じ）を気密に収納し、必要に応じて任意の長さに引き出して使用することができる貼付剤用の収納容器に関する。
【背景技術】
【０００２】
ロール状の絆創膏を収納し、必要に応じて任意の長さに引き出して使用するための収納容器が知られている（特許文献１）。
【０００３】
従来の収納容器は、鍔付きの本体と蓋体とを上下に組み合わせ、内部にロール状の絆創膏を収納する。絆創膏は、軸方向を水平にして収納容器に収納され、鍔に形成する引出口を介して先端部が外部に引き出されている。そこで、外部に露出する先端を引くと、ロール状の絆創膏が収納容器内で回転し、任意の長さに引き出すことができるから、絆創膏を必要長さに切断して使用することができる。
【先行技術文献】
【特許文献】
【０００４】
【特許文献１】特開２０００−２５４１６４号公報
【発明の概要】
【発明が解決しようとする課題】
【０００５】
かかる従来技術によるときは、収納容器は、内部の絆創膏を密閉して収納することができないため、絆創膏が汚れたり変質したりすることが少なくない上、必要長さに切断するために鋏（はさみ）やカッタなどを用意する必要があり、使い勝手がよくないという問題があった。
【０００６】
そこで、この発明の目的は、かかる従来技術の問題に鑑み、切断刃付きの本体と、本体に対して相対回転可能、軸方向に昇降可能なキャップとを組み合わせることによって、ロール状の貼付剤を密閉して収納するとともに、使い勝手を向上させることができる貼付剤用の収納容器を提供することにある。
【課題を解決するための手段】
【０００７】
かかる目的を達成するためのこの発明の構成は、ロール状の貼付剤を収納する本体と、本体に被せるキャップとを相対回転可能に組み合わせてなり、本体は、内部の貼付剤の先端部を外周上に引き出すスリットを有するとともに、外周上の貼付剤を切断する切断刃を一体成形し、キャップは、正逆に回転させて軸方向に昇降させ、本体の下端の密閉位置、上端の開放位置に位置決め可能であることをその要旨とする。
【０００８】
なお、キャップは、本体の外周に形成するガイドスロープに係合する係合突部を内面に形成し、ガイドスロープ、係合突部を介し、回転操作に伴って密閉位置、開放位置の間に昇降することができ、ガイドスロープは、密閉位置側の緩傾斜の昇降区間、開放位置側の急傾斜の昇降区間を含むことができる。
【０００９】
また、係合突部は、先端面を鋸歯状の係合面に形成してもよく、切断刃は、薄肉のヒンジ部を介し、本体の上端に下向きに折畳み可能に連結してもよい。
【発明の効果】
【００１０】
かかる発明の構成によるときは、本体に被せるキャップは、正逆に回転操作することにより、本体の下端の密閉位置と、上端の開放位置との間に昇降させることができ、下端の密閉位置において、本体内を外気から遮断し、本体に収納するロール状の貼付剤を気密に密閉して保存することができる。なお、キャップを開放位置に上昇させると、スリットを介して本体の外周上に引き出す貼付剤の先端部が外部に露出する。そこで、貼付剤の先端を摘んで任意長さをさらに引き出し、本体に付属する切断刃を利用して貼付剤を必要長さに切断して使用する。その後、キャップを密閉位置に戻すと、本体内の貼付剤を再度密閉して収納することができる。
【００１１】
キャップは、内面の係合突部を本体の外周のガイドスロープに係合させることにより、回転操作に伴って円滑に昇降させることができる。なお、本体側のガイドスロープ、キャップ側の係合突部は、１組以上の任意の組数を設けることができる。また、キャップは、１回転未満、たとえば約１／４回転程度の回転操作により密閉位置、開放位置の間を昇降させ、軽快な操作性を実現することができる。ガイドスロープは、昇降ストローク内で傾斜が変化する変形スロープとすることにより、キャップの回転操作角度に対する昇降曲線を任意に設定することができる。
【００１２】
ガイドスロープに緩急の昇降区間を含ませることにより、極めて良好な操作性を実現することができる。開放位置側の急傾斜の昇降区間は、キャップを速やかに昇降させることができ、密閉位置側の緩傾斜の昇降区間は、キャップを密閉位置に滑らかに締め込み、密閉位置から滑らかに解放させることができるからである。なお、緩急の昇降区間の間には、必要に応じて、キャップを回転させても昇降しない水平区間を介在させ、または中間的な傾斜の昇降区間を介在させてもよい。
【００１３】
キャップの内面の係合突部は、先端面に形成する鋸歯状の係合面を本体の外周上の貼付剤に係合させることにより、キャップの回転操作を利用して貼付剤の先端部の自動引出し動作を実現することができる。なお、鋸歯状の係合面は、貼付剤に対して一方向にしか係合しないから、キャップを密閉位置から開放位置に駆動する際に貼付剤を自動的に引き出すが、キャップを密閉位置に戻すときに貼付剤を不用意に本体内に戻し入れることがない。ただし、このような貼付剤の自動引出し動作は、キャップの密閉位置から開放位置の間に設けるキャップの水平区間に主として対応させ、貼付剤を正しく長さ方向に引き出すことが好ましい。
【００１４】
切断刃は、本体の上端に下向きに折畳み可能に連結することにより、本体に対し、容易に一体成形することができる。なお、このような切断刃は、キャップを本体に装着するとともにキャップを介して下向きに折り畳まれ、キャップが開放位置、密閉位置の間に昇降しても、そのままに維持される。そこで、切断刃の下を通過させて貼付剤を本体の外周上に引き出すことにより、切断刃を介して貼付剤を簡単に切断することができる。
【図面の簡単な説明】
【００１５】
【図１】全体分解斜視図
【図２】一部破断分解斜視図
【図３】要部拡大模式断面図
【図４】円筒部の展開説明図
【図５】本体の斜視説明図
【図６】動作説明図
【図７】動作説明斜視図
【発明を実施するための形態】
【００１６】
以下、図面を以って発明の実施の形態を説明する。
【００１７】
貼付剤用の収納容器は、ロール状の貼付剤Ｔを収納する本体１０と、本体１０に被せるキャップ２０とを相対回転可能に組み合わせてなる（図１、図２）。
【００１８】
貼付剤Ｔは、たとえばテープ状の絆創膏Ｔ1 を巻心Ｔ2 上にロール状に巻いて形成されている。なお、絆創膏Ｔ1 は、図示しない剥離材を有する粘着面側を内側にして巻心Ｔ2 上に巻き付けられている。
【００１９】
本体１０は、外フランジ１１上に円筒部１２を立設し、未使用のロール状の貼付剤Ｔを収納し得るサイズの有底円筒状に形成されている。外フランジ１１は、一方向に滑らかに突出させて吊下げ用の透孔１１ａを開口し、透孔１１ａから左方向に９０°の位置には、指掛け用の凹部１１ｂが形成されている。
【００２０】
円筒部１２の内部には、貼付剤Ｔの巻心Ｔ2 の内径に適合する円筒状の固定軸１３が底板１２ａ上に同軸状に立設されている。固定軸１３の上部には、上端開放のスリット１３ａ、１３ａ…が形成され、固定軸１３の上端外周には、環状リブ１３ｂが形成されている。そこで、貼付剤Ｔは、巻心Ｔ2 を固定軸１３に弾発的に嵌め込むことにより本体１０に収納することができる。なお、本体１０内の貼付剤Ｔは、固定軸１３のまわりに回転自在であり、固定軸１３の環状リブ１３ｂを介して抜止めされている。
【００２１】
円筒部１２の底板１２ａは、リング状の段部１２ｂを介して外フランジ１１に連続している（図２、図３）。段部１２ｂの外周には、径方向に膨出する環状のシールリブ１２ｃが形成されており、外フランジ１１の外縁には、下向きに垂下する補強リブ１１ｃが全周に形成されている。
【００２２】
円筒部１２の上端には、小幅の外フランジ１２ｄが形成されており、外フランジ１２ｄの外径は、下端の段部１２ｂの最大外径よりやや小さく設定されている。また、円筒部１２の上端には、外フランジ１２ｄの一部を切り欠くことにより、長方形の切断刃１４が一体成形されている（図１、図２）。切断刃１４は、上辺に沿って形成する薄肉のヒンジ部１４ａを介し、円筒部１２に対して下向きに折畳み可能に連結されている。切断刃１４の右辺側には、鋸歯１４ｂが形成され、左辺側上部には、逆Ｌ字状に垂下する係合片１４ｃが形成されている。なお、切断刃１４は、外フランジ１１の凹部１１ｂに対応する位置に合わせて形成されている。
【００２３】
円筒部１２の外周には、切断刃１４を垂下させるための凹部１５が形成されている。凹部１５の右半部には、凹部１５の右側の平面部１５ｂとの段差を緩和する複数の横行リブ１５ａ、１５ａ…が平行に形成され、凹部１５の左側には、円筒部１２の外周表面と同一高さのガイド部１６ａを隔てて、絆創膏Ｔ1 の先端部を円筒部１２の外周上に引き出すスリット１６が形成されている（図４、図５（Ｃ））。また、スリット１６の右側のガイド部１６ａから切断刃１４用の凹部１５にかけて、上端の外フランジ１２ｄと平行なガイドリブ１６ｂが形成されている。そこで、スリット１６からの絆創膏Ｔ1 の先端部は、上下のガイドリブ１６ｂ、段部１２ｂにガイドされ、下向きに折り畳む切断刃１４の下を通して切断刃１４の右側の平面部１５ｂにまで引き出すことができる（図２）。
【００２４】
ただし、図５（Ａ）〜（Ｃ）の本体１０は、それぞれ図４のＡ〜Ｃ矢視相当斜視図である。また、図１の本体１０は、図４のＤ矢視相当斜視図である。なお、図４において、Ａ〜Ｄ矢視位置は、円筒部１２の外周の９０°ごとに設定されている。
【００２５】
円筒部１２の外周には、ガイド用の突部１７ａ、１７ａ…を介し、互いに平行な右上りのガイドスロープ１７、１７…が切断刃１４用の凹部１５の位置を除く９０°ごとに形成されている（図４、図５）。各ガイドスロープ１７は、下端の密閉位置Ｐa から上端の開放位置Ｐb までの間に、密閉位置Ｐa 側の緩傾斜の昇降区間Ｓ1 、水平区間Ｓ2 、開放位置Ｐb 側の急傾斜の昇降区間Ｓ3 が形成されている。なお、各突部１７ａは、円筒部１２の上端の外フランジ１２ｄと同一高さに形成され、各ガイドスロープ１７を所定の形状にするために、直線状、曲線状、島状などを含む適宜の形状が組み合わされている。
【００２６】
各ガイドスロープ１７には、上端の外フランジ１２ｄの切欠部１７ｂと、開放位置Ｐb とを連結する導入区間Ｓ4 が付設されている。ただし、図４において、中間のガイドスロープ１７の水平区間Ｓ2 の右半部、急傾斜の昇降区間Ｓ3 の大部分、導入区間Ｓ4 の大部分は、それぞれの片側に下端の段部１２ｂ、ガイド用の突部１７ａ、上端の外フランジ１２ｄが設けられているだけの片側開放に形成されている。
【００２７】
キャップ２０は、本体１０の円筒部１２に適合する下向きの有底円筒状に形成されている（図１、図２）。キャップ２０の外周には、滑り止め用の浅い長短の凹溝２１、２１…が上下方向に形成されており、９０°ごとに配置する長い凹溝２１、２１…の下端に対応するようにして、横長の係合突部２２、２２…が内面下部に軸対称に形成されている。なお、各係合突部２２の先端面は、左向きの鋸歯状の係合面２２ａに形成されている。また、キャップ２０の内面下端部は、下向きに開拡するテーパ面２３に形成されている（図２、図３）。
【００２８】
キャップ２０は、円筒部１２に被せるようにして本体１０に装着すると、９０°ごとに配置されている４個の係合突部２２、２２…の３個が本体１０の上端の切欠部１７ｂ、１７ｂ…に対応し、残りの１個が切断刃１４の位置に対応する（図２、図４の下向きの白抜き矢印）。そこで、キャップ２０を軸方向に僅かに下降させると、各係合突部２２は、対応する切欠部１７ｂを経てガイドスロープ１７の導入区間Ｓ4 に進入するから、つづいてキャップ２０を軽く左回転させることにより、導入区間Ｓ4 を介して各係合突部２２を開放位置Ｐb に移動させ、キャップ２０を開放位置Ｐb に軽く拘束して位置決めすることができる。
【００２９】
なお、このようにしてキャップ２０を本体１０の円筒部１２の上端に組み合わせるとき、本体１０の切断刃１４は、キャップ２０の下端縁に押されて下向きに折り畳まれ（図２、図４の二点鎖線）、キャップ２０の内面が係合片１４ｃに係合することにより下向きの姿勢に維持される。一方、キャップ２０を右回転させて各係合突部２２を開放位置Ｐb から脱出させると、各係合突部２２がガイドスロープ１７の急傾斜の昇降区間Ｓ3 、水平区間Ｓ2 、緩傾斜の昇降区間Ｓ1 を経て下端の密閉位置Ｐa にまで進行する。そこで、キャップ２０は、右方向の回転操作に伴って軸方向に下降し、下端の密閉位置Ｐa に位置決めして円筒部１２の全部を覆うことができる（図３の二点鎖線）。なお、キャップ２０は、密閉位置Ｐa の直前の緩傾斜の昇降区間Ｓ1 において、右回転とともに下向きに締め込まれ、下端縁のテーパ面２３が本体１０側のシールリブ１２ｃに密着するとともに、下端が外フランジ１１の上面に到達して本体１０の内部を気密に密閉する。
【００３０】
密閉位置Ｐa のキャップ２０は、左回転させることによりガイドスロープ１７、１７…に従って軸方向に上昇させ、上端の開放位置Ｐb に復帰させることができる。また、開放位置Ｐb のキャップ２０は、下端の密閉位置Ｐa に戻すこともでき、必要に応じて、導入区間Ｓ4 を経て本体１０から取り外すこともできる。
【００３１】
かかる貼付剤用の収納容器に貼付剤Ｔを密閉保存するときは、キャップ２０を本体１０と組み合わせるに先き立って、本体１０内に貼付剤Ｔを収納し（図２）、キャップ２０を密閉位置Ｐa に駆動すればよい。ただし、このとき、貼付剤Ｔの絆創膏Ｔ1 は、円筒部１２のスリット１６を介して円筒部１２の外周上に右方向に引き出し、切断刃１４用の凹部１５を経て右側の平面部１５ｂにまで引き出しておき、キャップ２０を介して切断刃１４が下向きに折り畳まれると、切断刃１４の下を横切る初期状態となる（図２、図６（Ａ））。なお、図６（Ａ）〜（Ｃ）は、それぞれキャップ２０が密閉位置Ｐa にあるとき、緩傾斜の昇降区間Ｓ1 、水平区間Ｓ2 の移行領域にあるとき、水平区間Ｓ2 、急傾斜の昇降区間Ｓ3 の移行領域にあるときの係合突部２２、２２…の高さ位置における本体１０、キャップ２０の模式横断面図である。
【００３２】
密閉位置Ｐa のキャップ２０を緩傾斜の昇降区間Ｓ1 相当だけ左回転させると（図６（Ａ）の矢印方向）、スリット１６の左側に位置していた係合突部２２がスリット１６上を通過してスリット１６の右側のガイド部１６ａに到達する（図６（Ｂ））。そこで、係合突部２２の先端面の鋸歯状の係合面２２ａがガイド部１６ａ上の絆創膏Ｔ1 の背面側に係合し、絆創膏Ｔ1 を切断刃１４側に送り出し始める。したがって、つづいてキャップ２０を水平区間Ｓ2 相当だけ左回転させると（図６（Ｂ）の矢印方向）、絆創膏Ｔ1 に係合した係合突部２２は、絆創膏Ｔ1 とともにガイド部１６ａ上を水平に横切り（図６（Ｃ））、絆創膏Ｔ1 の先端部を切断刃１４の右側の平面部１５ｂ上に所定長さだけ自動的に引き出すことができる。
【００３３】
したがって、その後、キャップ２０をさらに左回転させれば（図６（Ｃ）の矢印方向）、キャップ２０は、急傾斜の昇降区間Ｓ3 を経て上端の開放位置Ｐb にまで上昇し、開放位置Ｐb に保持することができる。そこで、片手で本体１０の円筒部１２を把持しながら切断刃１４を押さえ（図７）、切断刃１４の右側に引き出されている絆創膏Ｔ1 の先端を他方の手で摘んで任意の長さに引き出し（図７の矢印方向）、そのまま切断刃１４の鋸歯１４ｂを利用して絆創膏Ｔ1 を必要長さに切断して使用することができる。なお、キャップ２０は、そのまま開放位置Ｐb から元の密閉位置Ｐa に戻し、本体１０内の貼付剤Ｔを密閉して次回の使用に備える。
【００３４】
以上の説明において、キャップ２０の４個の係合突部２２、２２…は、そのうちの３個を本体１０の３本のガイドスロープ１７、１７…に係合させることにより、キャップ２０を昇降させ、残る１個を絆創膏Ｔ1 の自動引出し動作に利用している。また、キャップ２０は、約１／４回転余りの回転操作により密閉位置Ｐa 、開放位置Ｐb の間を昇降し、密閉位置Ｐa 側、開放位置Ｐb 側の緩急の昇降区間Ｓ1 、Ｓ3 の間に水平区間Ｓ2 が介在されている。そこで、このようなキャップ２０の一連の動作パラメータは、任意に変更可能である。たとえば、係合突部２２、ガイドスロープ１７は、１組以上を係合させればよく、絆創膏Ｔ1 の自動引出し動作は、係合突部２２以外の別の係合部材によって実現してもよい。また、キャップ２０の回転操作角度は、１／４回転以外に設定してもよく、水平区間Ｓ2 を省略してもよく、水平区間Ｓ2 に代えて中間的な傾斜の昇降区間を設けてもよく、さらに、昇降区間Ｓ1 、Ｓ3 を同じ傾斜にしてもよい。
【００３５】
なお、切断刃１４を含む本体１０、キャップ２０は、それぞれＰＰ、ＨＤＰＥなどの硬質プラスチックにより一体成形することができる。
【産業上の利用可能性】
【００３６】
この発明は、絆創膏Ｔ1 に限らず、テープ剤、パップ剤、経皮吸収型製剤などの任意の貼付剤Ｔに対して広く適用することができる。
【符号の説明】
【００３７】
Ｔ…貼付剤
Ｓ1 、Ｓ3 …昇降区間
Ｐa …密閉位置
Ｐb …開放位置
１０…本体
１４…切断刃
１４ａ…ヒンジ部
１６…スリット
１７…ガイドスロープ
２０…キャップ
２２…係合突部
２２ａ…係合面
特許出願人      伸晃化学株式会社
【図１】
2012250812.tif 000003
【図２】
2012250812.tif 000004
【図３】
2012250812.tif 000005
【図４】
2012250812.tif 000006
【図５】
2012250812.tif 000007
【図６】
2012250812.tif 000008
【図７】
2012250812.tif 000009